(57)【要約】【課題】外観がシンプルであり、複数の情報の各々を、観察者に対して視認しやすく表示する表示装置を提供する。【解決手段】テレビジョン１００のフレーム１０２には、その正面側にフロントパネル１１０が設けられている。このフロントパネル１１０の背面側には、映像を表示するＣＲＴパネル１２０と、各種パラメータを表示するＥＬ表示パネル２００とが設けられている。また、フロントパネル１１０の背面におけるＣＲＴパネル１２０とＥＬ表示パネル２００とを除く領域には、反射板１１２が貼着されている。この反射板１１２は、その反射色が、ＥＬ表示パネル２００の反射色と略同一である。【選択図】　　　図１
2004109450.tif 000002
【特許請求の範囲】
【請求項１】
第１の情報を表示する第１の表示パネルと、
前記第１の表示パネルの額縁となり、その一部に、観察者の視認方向についての光透過性を有する透過部を含む額縁部材と、
第２の情報を表示し、観察者からみて前記透過部後方に設けられ、前記第２の情報を表示しない場合に、前記額縁部材のうち透過部を除く領域と略同一の反射色を有する反射体となる第２の表示パネルと、
を具備することを特徴とする表示装置。
【請求項２】
前記第２の表示パネルは、
発光層と、
発光層の背面側に設けられ、観察者側から入射した外光を反射する反射層とを有している
ことを特徴とする請求項１に記載の表示装置。
【請求項３】
請求項１あるいは２に記載の表示装置を表示部として有し、
前記第１の表示パネルは、前記第１の情報として映像を表示し、
前記第２の表示パネルは、前記第２の情報としてキャラクタを表示する
ことを特徴とする映像表示装置。
【請求項４】
請求項１あるいは２に記載の表示装置を、表示部として有することを特徴とする電子機器。
【発明の詳細な説明】
【０００１】
【発明の属する技術分野】
本発明は、複数の情報を表示する表示装置、映像表示装置および電子機器に関する。
【０００２】
【従来の技術】
旧来型のテレビジョン受像機（以下「テレビジョン」と表記する。）の一部には、操作パネルを有し、該操作パネルにおいて、放映チャネルや音量レベルなどの各種パラメータを示すものがあった。しかしながら、この種のテレビジョンにおいては、操作子の他、パラメータを示すための部材が操作パネルに設けられるため、その外観は雑然としたものとなる。
一方、近年では、家電製品に対するユーザのデザイン志向の高まりに伴い、外観がシンプルなテレビジョンが要求される傾向にある。
【０００３】
これに対処する技術として、各操作子については、テレビジョン本体とは別体のリモコン（遠隔操作装置）に搭載する一方、パラメータについては、表示画面に表示するテレビジョンが知られている（例えば、特許文献１参照）。このようなテレビジョンによれば、操作子や、パラメータを示すための部材などを本体から省略することが可能となり、その外観がシンプルなものとなる。
【０００４】
【特許文献１】
特開平１１−３４１３８０号公報
【０００５】
【発明が解決しようとする課題】
しかしながら、パラメータを表示画面内に表示する場合、以下のような問題が生じてしまう。パラメータは、図７（ａ）に示されるように、常時あるいは各種操作がなされた後の一定期間に、画面領域の右上（この例では、放映チャネル「４ｃｈ」）や、画面領域の下端（音声出力形式「ステレオ」、音量レベル「１０」）といった画面端部に表示される。
これとは別に、テレビジョン放送においては、視聴者への放送内容の理解を助長すべく、画像情報にいわゆるテロップ（ｔｅｌｅｖｉｓｉｏｎ　ｏｐａｑｕｅ　ｐｒｏｊｅｃｔｏｒ）や字幕が付加されたものが知られている。このうち、テロップは、図７（ｂ）に示されるように、文字情報などからなる情報であり、画面表示領域の右上や、下端近傍などの画面領域の端部に表示される。同様に字幕も、画面領域の端部に表示されるのが一般である。
【０００６】
このため、テロップあるいは字幕のいずれかと、パラメータとが同時に表示された場合、図７（ｃ）に示されるように、それらは略等しい位置にて表示され、ユーザ（観察者）が、各々の情報内容について視認しづらいという問題が生じる。また、パラメータが単独で表示される場合であっても、パラメータにより映像の端部の表示が妨げられるという問題が生じ得る。
【０００７】
この発明は上述した事情に鑑みてなされたものであり、外観がシンプルであり、複数の情報の各々を、観察者に対して視認しやすく表示する表示装置、該表示装置を搭載した映像表示装置および電子機器を提供することにある。
【０００８】
【課題を解決するための手段】
上記課題を解決するため、本発明にかかる表示装置は、第１の情報を表示する第１の表示パネルと、前記第１の表示パネルの額縁となり、その一部に、観察者の視認方向についての光透過性を有する透過部を含む額縁部材と、第２の情報を表示し、観察者からみて前記透過部後方に設けられ、前記第２の情報を表示しない場合に、前記額縁部材のうち透過部を除く領域と略同一の反射色を有する反射体となる第２の表示パネルと、を具備する構成を特徴とする。
この構成によれば、第１の情報は、第１の表示パネルに表示される一方、第２の情報は、第２の表示パネルに表示される。このため、観察者は、それらの各々の情報を容易に視認することができる。さらに、第２の表示パネルは、非表示時においては、額縁部材の透過部を除く領域と略同一の反射色を有する反射体となる。このため、表示装置は、２つの表示パネルを備えているにも拘わらず、あたかも第１の表示パネルのみの構成であるかのように視認される。これにより、該表示装置を搭載した機器の外観がシンプルなものとなり、該機器のデザイン性を損なうことがなく、２つの表示パネルを搭載することができる。
ここで、前記第２の表示パネルは、発光層と、発光層の背面側に設けられ、観察者側から入射した外光を反射する反射層とを有していることが望ましい。
また、本発明にかかる映像表示装置は、上記表示装置を表示部として有し、前記第１の表示パネルは、前記第１の情報として映像を表示し、前記第２の表示パネルは、前記第２の情報としてキャラクタを表示することを特徴しているため、映像表示装置のデザイン性を損なうことがなく、２つの表示パネルを搭載することができる。
同様に、本発明にかかる電子機器は、上記表示装置を、表示部として有しているため、電子機器のデザイン性を損なうことなく、２つの表示パネルを搭載することができる。
【０００９】
【発明の実施の形態】
以下、本発明の実施の形態について図面を参照して説明する。
【００１０】
＜第１実施形態＞
図１は、本発明の第１実施形態にかかるテレビジョンの構成を示す図である。この図に示されるように、テレビジョン１００のフレーム１０２には、その正面（観察者側）に、光透過性を有するフロントパネル１１０が設けられている。フロントパネル１１０の背面側には、ＣＲＴ（Ｃａｔｈｏｄｅ　Ｒａｙ　Ｔｕｂｅ）ディスプレイ１２２と、ＥＬ（Ｅｌｅｃｔｒｏｌｕｍｉｎｅｓｃｅｎｃｅ）表示パネル２００とが配置されている。このうち、ＣＲＴディスプレイ１２２は、映像を表示し、その表示面であるＣＲＴパネル１２０が、フロントパネル１１０と当接するように設けられている。
【００１１】
一方、ＥＬ表示パネル２００は、ＣＲＴパネル１２０の下方において、フロントパネル１１０に接するように設けられ、放映チャネルや、音量レベルの他、コントラスト比の設定値、色の濃度の設定値などといった各種パラメータを表示する。このＥＬ表示パネル２００は、ＣＲＴパネル１２０による映像の表示時において、パラメータの変更の指示が入力されると、その後一定期間に限りパラメータを表示し、当該一定期間が経過すると非表示状態となる。すなわち、テレビジョン１００においては、ＣＲＴパネル１２０のみの表示が可能となっている。
【００１２】
ここで、ＥＬ表示パネル２００は、大略して、発光層と、反射体として機能する散乱反射層２７０とが、観察者側からこの順に積層された構成をしている。このため、観察者側からの外光がＥＬ表示パネル２００に入射すると、外光は、ＥＬ表示パネル２００内において散乱反射層２７０により反射され、観察者は、非表示時におけるＥＬ表示パネル２００を、特定の反射色を有する反射体として視認する。なお、ＥＬ表示パネル２００の構成や、その反射色の詳細については後述することとする。
【００１３】
また、フロントパネル１１０の背面におけるＣＲＴパネル１２０およびＥＬ表示パネル２００を除く領域には、ＣＲＴパネル１２０の額縁として機能する反射板１１２が貼着されている。反射板１１２は、例えばアルミニウム板であり、その反射色が、非表示時におけるＥＬ表示パネル２００の反射色と略等しくなるようになされている。このため、フロントパネル１１０を介して反射板１１２およびＥＬ表示パネル２００の各々を視認する観察者は、反射板１１２およびＥＬ表示パネル２００を、あたかも同一体であるかのように視認する。
【００１４】
また、２つのスピーカ１３７は、音声信号をステレオあるいはモノラル方式により出力する。この他にも、テレビジョン１００には、ユーザ（観察者）によるチャネル操作などの各種パラメータを設定するためのリモコンが付属されている。
【００１５】
次に、テレビジョン１００の電気的構成について、図２を参照して説明する。この図において、リモコン１６２は、押しボタンスイッチなどの操作子を含み、ユーザにより指示されたパラメータを示す操作信号を、赤外線より操作信号受信装置１６０に向けて送出する。操作信号受信装置１６０は、リモコン１６２から操作信号を受信すると、該信号をＣＰＵ（Ｃｅｎｔｒａｌ　Ｐｒｏｃｅｓｓｉｎｇ　Ｕｎｉｔ）１３０に供給する。
【００１６】
ＣＰＵ１３０は、操作信号受信装置１６０から供給された操作信号に応じて、受信回路１３２、音声処理回路１３４、映像処理回路１４０、キャラクタジェネレータ１５０、走査回路１４２および駆動回路１５２を制御する。ＣＰＵ１３０による制御内容としては、映像をＣＲＴディスプレイ１２２に表示させるための制御の他、パラメータを示すキャラクタをＥＬ表示パネル２００に表示させるための制御などがある。
なお、ＣＰＵ１３０は、全てのパラメータを記憶する書き換え可能なメモリを有しており、あるパラメータの変更を示す操作信号が供給されると、対応するパラメータを上書き更新する。ＣＰＵ１３０は、パラメータの変更を示す操作信号が供給されると、その後一定期間に限り、メモリに記憶される放映チャネルなどを示すパラメータを、後述するキャラクタジェネレータ１５０に供給する。
【００１７】
受信回路１３２は、アンテナ１３３を介して受信した放送波（テレビジョン信号）を、音声処理回路１３４および映像処理回路１４０に供給する。音声処理回路１３４は、受信回路１３２からテレビジョン信号を受け取ると、テレビジョン信号から音声信号を抽出し、音声信号を音声出力装置１３５に供給する。音声出力装置１３５は、アンプやスピーカ１３７（図１参照）等を含み、音声処理回路１３４から供給された音声信号を、ステレオあるいはモノラルの音声出力方式により放音する。
【００１８】
映像処理回路１４０は、受信回路１３２からテレビジョン信号を受け取ると、テレビジョン信号から映像信号を抽出し、映像信号を走査回路１４２に供給する。走査回路１４２は、映像処理回路１４０から供給された映像信号に応じて、ＣＲＴディスプレイ１２２に含まれる電子銃を走査させる回路であり、映像信号による映像をＣＲＴパネル１２０により表示する。
【００１９】
キャラクタジェネレータ１５０は、放映チャネル（例えば「４ｃｈ」）や、音声出力レベル（例えば、レベル「１０」）、音声出力形式（「ステレオ」あるいは「モノラル」）などのパラメータが、ＣＰＵ１３０から供給されると、それらを示すキャラクタ（文字や記号）を画像データとして生成し、キャラクタ信号ＣＳとして、駆動回路１５２に入力する。
駆動回路１５２は、キャラクタ信号ＣＳに応じて、ＥＬ表示パネル２００に含まれる各画素を駆動し、パラメータを示すキャラクタをＥＬ表示パネル２００により表示する。
【００２０】
次に、ＥＬ表示パネル２００の詳細構成について説明する。図３は、ＥＬ表示パネル２００の部分断面図である。この図において、無色透明なガラス等の基板２１０に、ＥＬ素子を駆動するＴＦＴ（Ｔｈｉｎ　Ｆｉｌｍ　Ｔｒａｎｓｉｓｔｏｒ）２２０が例えば低温ポリシリコンプロセスにより形成されている。
【００２１】
層間絶縁層２２２は、基板２１０およびＴＦＴ２２０の上面を覆うように形成された光透過性を有する層であり、ＴＦＴ２２０の電極部分では開孔している。画素電極２３０は、この開孔部分を介して、ＴＦＴ２２０の電極（ソースまたはドレインの一方）に接続され、ＥＬ素子の陽極として機能する透明電導膜である。
【００２２】
次に、下層膜２４０は、例えばシリコン酸化膜などの無機材料からなり、主に画素電極２３０の隙間において、画素電極２３０の端部分を若干覆うように、形成されている。バンク２４２は、下層膜２４０の上面に形成された高さ１〜２μｍ程度の一種の仕切りであり、例えばポリイミドや光硬化樹脂をフォトリソグラフィ技術などによりパターニングして形成されたものである。
【００２３】
バンク２４２により囲まれる領域には、正孔注入層２５０と、発光層２５２と、電子注入層２５４とが、基板２１０側からこの順で積層されている。このうち、正孔注入層２５０は、画素電極２３０上に形成され、画素電極２３０と電気的に接続されている。また、発光層２５２は、蛍光性の有機化合物であり、電子と正孔との結合により光を放出する。そして、電子注入層２５４は、例えばフッ化リチウム等であり、例えば真空蒸着法により発光層２５２上に形成される。
電子注入層２５４およびバンク２４２の上面には、陰極として機能する透明電極２６０が、スパッタリングなどにより積層される。
【００２４】
透明電極２６０の背面側には、電気めっきにより散乱反射層２７０が形成されている。散乱反射層２７０は、いわゆる無光沢めっきあるいは半光沢めっきであり、例えば粒径が大きな電析銀などの金属膜である。このため、散乱反射層２７０の観察者側の面には、微細な凹凸が形成されており、観察者側から散乱反射層２７０に光が入射すると、その光は、散乱されつつ観察者側に反射する。従って、外光がＥＬ表示パネル２００に入射すると、外光は、散乱反射層２７０において散乱されつつ反射し、観察者は、ＥＬ表示パネル２００を艶消しの銀色の反射体として視認する。
なお、散乱反射層２７０を無光沢めっきあるいは半光沢めっきにする方法は、電析銀を使用する方法の他、例えばめっき浴に添加する光沢剤の量を調整する方法などが考えられる。
そして、散乱反射層２７０の背面側には、ガラス板などの封止層２８０が設けられている。
【００２５】
なお、確認的ではあるが、ＥＬ表示パネル２００の反射色は、散乱反射層２７０による影響の他、発光層２５２やＴＦＴ２２０の光透過率の影響などを受け、散乱反射層２７０そのものの反射色とは若干異なっている。従って、上述した反射板１１２（図１参照）は、散乱反射層２７０ではなく、ＥＬ表示パネル２００と、略同一の反射色を有する反射体になされている。もちろん、ＥＬ表示パネル２００が、散乱反射層２７０と略同一の反射体とみなせる場合には、反射板１１２として、散乱反射層２７０と共通の部材を使用しても良い。
【００２６】
このような構成の下、リモコン１６２（図２参照）を介してパラメータの変更を示す操作信号が入力されると、ＣＰＵ１３０は、その後一定期間に限り、メモリに記憶されるパラメータを、キャラクタジェネレータ１５０に供給する。キャラクタジェネレータ１５０は、ＣＰＵ１３０からパラメータを受け取ると、該パラメータを示すキャラクタ信号ＣＳを、駆動回路１５２に入力する。そして、駆動回路１５２が、キャラクタジェネレータ１５０から供給されるキャラクタ信号ＣＳに応じて、ＥＬ表示パネル２００（図３参照）に含まれる正孔注入層２５０、発光層２５２および電子注入層２５４からなる層に電圧を印加すると、発光層２５２から光が出射され、その光は、基板２１０を透過して、ＥＬ表示パネル２００の図中下方に位置する観察者に向けて出射する。これにより、図１に示されるように、音声出力方式「ステレオ」や、音量レベル「１０」、放映チャネル「４ｃｈ」などのパラメータが、ＥＬ表示パネル２００に表示される。
【００２７】
このように、テレビジョン１００によれば、パラメータを表示するＥＬ表示パネル２００が、映像を表示するＣＲＴパネル１２０と別個独立に設けられている。このため、映像表示を妨げることなく、観察者に対して、パラメータを視認しやすく表示することができる。
【００２８】
一方、リモコン１６２を介して操作信号が入力されてから一定期間が経過すると、ＣＰＵ１３０は、キャラクタジェネレータ１５０へのパラメータの供給を停止し、ＥＬ表示パネル２００が非表示状態となる。このようにＥＬ表示パネル２００が非表示状態となる場合、図４に示されるように、観察者側からの外光が、フロントパネル１１０に入射すると、外光は、フロントパネル１１０の背面に設けられた反射板１１２とＥＬ表示パネル２００との各々において、略同一の反射色にて反射される。このため、観察者は、ＥＬ表示パネル２００の存在を意識することがない。これにより、テレビジョン１００は、２つの表示パネルを有しているにも拘わらず、あたかもＣＲＴパネル１２０およびその額縁（反射板１１２）のみの構成であるかのように視認され、その外観がシンプルなものなる。
【００２９】
また、テレビジョン１００によれば、非表示時のＥＬ表示パネル２００が、ＣＲＴパネル１２０の額縁（反射板１１２）と略同一の反射色に設定されていることにより以下のような利点を有している。
ここで、仮に、額縁の反射色と、パラメータを表示する表示パネルの反射色とが大きく異なる場合、すなわち、それらが補色関係にあったり、それらのコントラストが大きく異なったりする場合を想定する。この場合、図８に示すように、パラメータを表示する表示パネル４００が額縁（反射板１１２）において目立つこととなり、観察者にとっては、ＣＲＴパネル１２０における映像の視認時に、表示パネル４００が目障りとなる。つまり、表示パネル４００を設置することにより、映像が見づらくなるという問題が生じる。
【００３０】
これに対し、本実施形態にかかるテレビジョン１００によれば、図４に示すように、ＥＬ表示パネル２００は、非表示時において、フロントパネル１１０の背面に設けられた反射板１１２と略同一の反射色を有する反射体となる。このため、観察者にとっては、額縁においてＥＬ表示パネル２００の存在が目につくことがない。従って、ＥＬ表示パネル２００の設置を起因としてＣＲＴパネル１２０による映像が見づらくなる、といったことがない。
【００３１】
なお、上述した実施形態においては、映像を出力する表示パネルとして、ＣＲＴパネル１２０を適用したが、これに限らない。すなわち、映像を出力するパネルは、例えばＥＬ表示パネルや、液晶表示パネル、プラズマ表示パネル等、視覚を介して観察者に情報を伝達することができる手段であればいかなるものであっても良い。このうち、液晶表示パネルは、２枚の基板に挟持される液晶の配向状態の変化に応じた光透過率の変化を利用して、各種情報を表示するパネルであり、テレビジョン１００の薄型化を図ることができる。また、プラズマ表示パネルは、放電に伴う発光を用いて、各種情報を表示するパネルであり、テレビジョン１００の薄型化に加え、大型化を図る際に有効である。
【００３２】
＜第２実施形態＞
上述した第１実施形態においては、ＣＲＴパネル１２０の額縁の一部と視認されるように設けられたＥＬ表示パネル２００を有するテレビジョン１００について説明した。これに対し、第２実施形態においては、液晶表示パネルの額縁の一部と視認されるように設けられたＥＬ表示パネル２００を有する携帯電話機について説明する。
【００３３】
図５は、第２実施形態にかかる携帯電話機の構成を示す図である。
この図に示されるように、携帯電話機３００は、複数の操作ボタン３３０、受話口３２０、送話口３１０の他に、表示部３４０を備えている。
ここで、携帯電話機３００における表示部３４０以外の構成については、電子メール送受信機能を有する一般的な携帯電話機の構成と略同様であり、携帯電話機３００においては、音声通話のための処理の他、電波強度の検出や、二次電池の出力電圧の検出などが可能となっている。また、携帯電話機３００は、いわゆる電話帳機能を有しており、「電話番号」と、当該電話番号を識別するための「名称」とが対応付けられた電話番号リストを記憶している。
【００３４】
次に、表示部３４０の構成について説明する。
携帯電話機３００のフレーム３０２には、その正面側（観察者側）に光透過性を有するフロントパネル３４２が設けられている。このフロントパネル３４２の背面側には、液晶表示パネル３５０とＥＬ表示パネル２００とが設けられている。
【００３５】
このうち、液晶表示パネル３５０は、例えば、電話番号リストに含まれる名称群や、受信した電子メール（不図示）などの携帯電話機３００におけるメイン情報を表示する。
【００３６】
一方、ＥＬ表示パネル２００は、携帯電話機３００におけるサブ情報を表示し、例えば電波状況や、電池残量を示す二次電池の出力電圧、電子メールの受信状況などを、アイコンやキャラクタ（不図示）として表示する。ユーザ（観察者）は、操作ボタン３３０の操作により、ＥＬ表示パネル２００におけるサブ情報の表示のオン・オフを切り替えることができる。このため、携帯電話機３００は、液晶表示パネル３５０のみの表示が可能な構成となっている。
【００３７】
ＥＬ表示パネル２００は、前掲図３に示されるような構成をしており、発光層２５２の背面側に散乱反射層２７０を有している。このため、ＥＬ表示パネル２００は、非表示時において、艶消しの銀色の反射体として視認される。
【００３８】
また、フロントパネル３４２の背面側における液晶表示パネル３５０およびＥＬ表示パネル２００を除く領域には、反射板３４４が設けられている。この反射板３４４は、液晶表示パネル３５０の額縁として機能し、ＥＬ表示パネル２００と略等しい反射色を有する反射体になされている。
【００３９】
このような構成の下、操作部３３０を介してＥＬ表示パネル２００のオンを示す指示が入力されると、ＥＬ表示パネル２００は、図５に示すように、サブ情報を表示する。
一方、ＥＬ表示パネル２００のオフを示す指示が操作ボタン３３０を介して入力されると、図６に示すように、ＥＬ表示パネル２００は、反射板３４４と略同一色の反射体となる。これにより、携帯電話機３００は、液晶表示パネル３５０とＥＬ表示パネル２００との２つの表示パネルを備えているものの、ＥＬ表示パネル２００の非表示時においては、あたかも液晶表示パネル３５０と、その額縁となる反射板３４４とのみの構成であるかのように視認される。従って、携帯電話機３００の外観がシンプルなものなり、デザインを損なうことなく、複数の表示パネルを設置することが可能となる。
【００４０】
また、携帯電話機３００によれば、ＥＬ表示パネル２００の非表示時においては、ＥＬ表示パネル２００が観察者により意識されることがない。このため、液晶表示パネル３５０を視認する際に、ＥＬ表示パネル２００が目障りとならない。つまり、ＥＬ表示パネル２００を設けることにより、液晶表示パネル３５０を見づらくなるといったこともない。
【００４１】
なお、ＥＬ表示パネル２００のオン・オフの切り替えは、ユーザ操作によらず、携帯電話機３００において自動で切り替える構成としても良い。より具体的には、電波強度が閾値以下である場合や、二次電池の出力電圧が閾値以下である場合、メールを受信した場合など、特定の状況が発生し、該状況をユーザに告知する場合にのみ、該状況を示す画像を表示する構成としても良い。
【００４２】
本発明は、上述した第１、第２実施形態に限られず、各実施形態に種々の応用・変形を加えることが可能である。
例えば、上述した各実施形態においては、ＥＬ表示パネルとして、非表示時に艶消しの銀色に視認されるＥＬ表示パネル２００を適用したが、ＥＬ表示パネル２００の反射色は任意に変更することができる。例えば、図３に示すＥＬ表示パネル２００であれば、発光層２５２の背面側に設けられる反射層（散乱反射層２７０）の材質の変更により、ＥＬ表示パネル２００の反射色を変更することが可能である。
また、上述した各実施形態においては、第１の表示パネルの額縁と略同一の反射色に設定され、その額縁の一部として視認されるように設けられた第２の表示パネルとして、ＥＬ表示パネル２００を例にして説明した。しかし、第２の表示パネルはＥＬ表示パネル２００に限られるものではなく、観察者に視覚を介して情報を伝達する表示パネルであれば任意に本発明を適用可能である。くわえて、上述した各実施形態においては、額縁に設けられた第２の表示パネルの数は、ひとつであったが、複数の第２の表示パネルが設けられる構成としても良い。
【００４３】
さらに、第１実施形態および第２実施形態の各々においては、本発明にかかる表示装置をテレビジョン１００および携帯電話機３００に適用する例を示したが、それ以外の電子機器の表示部としても用いることができる。
電子機器の例としては、コンピュータ、ビューファインダ型・モニタ直視型のビデオテープレコーダ、カーナビゲーション装置、電卓、ディジタルスチルカメラなどが挙げられる。
【００４４】
【発明の効果】
以上説明したように、この発明によれば、外観がシンプルであり、複数の情報の各々を、観察者に対して視認しやすく表示する表示装置が提供される。
【図面の簡単な説明】
【図１】本発明の第１実施形態にかかるテレビジョンの構成を示す図である。
【図２】同テレビジョンの電気的構成を示す図である
【図３】同テレビジョンに含まれるＥＬ表示パネルの部分断面図である。
【図４】同テレビジョンの外観を示す図である。
【図５】本発明の第２実施形態にかかる携帯電話機の構成を示す図である。
【図６】同携帯電話機の外観を示す図である。
【図７】従来のテレビジョンを示す図である。
【図８】同第１実施形態にかかるテレビジョンの対比例を示す図である。
【符号の説明】
１００…テレビジョン
１０２…フレーム
１１０，３４０…フロントパネル
１１２，３４４…反射板
１２０…ＣＲＴパネル
１３７…スピーカ
２３０…ＣＰＵ
１４０…映像処理回路
１４２…走査回路
１５０…キャラクタジェネレータ
１５２…駆動回路
２００…ＥＬ表示パネル
２１０…基板
２２０…ＴＦＴ
２２２…層間絶縁層
２３０…画素電極
２４０…下層膜
２４２…バンク
２５０…正孔注入層
２５２…発光層
２５４…電子注入層
２６０…透明電極
２７０…散乱反射層
２８０…封止層
３００…携帯電話機
３０２…フレーム
３４０…表示部
３４２…フロントパネル
３４４…反射板
３５０…液晶表示パネル
【図１】
2004109450.tif 000003
【図２】
2004109450.tif 000004
【図３】
2004109450.tif 000005
【図４】
2004109450.tif 000006
【図５】
2004109450.tif 000007
【図６】
2004109450.tif 000008
【図７】
2004109450.tif 000009
【図８】
2004109450.tif 000010